(57)【特許請求の範囲】
【請求項１】
移動ネットワークに接続した移動局の位置を取得する電気通信サービスの方法であって、
要求元の電気通信サービスが、条件を現在位置の要求に含めるステップと、
前記要求を前記移動ネットワークに送信するステップと、
前記移動ネットワークが、該移動ネットワークに現在記憶されている前記移動局の位置が前記条件を満たすか否かを検査するステップと、
前記条件を満たすとき、現在記憶されている前記位置を前記要求元の電気通信サービスに報告するステップと、
前記条件を満たさないとき、前記移動局の位置を計測し前記要求元の電気通信サービスに報告するステップと、
を含み、
前記条件は、前記移動局の位置に関する時間閾値条件、前記移動局の移動速度閾値条件、及び、前記移動局の位置に関する粒度条件を含むことを特徴とする方法。
【請求項２】
前記移動ネットワークは少なくとも１つの在圏移動サービス局（ＶＭＳＣ）を備え、該ＶＭＳＣには前記移動局が接続しており、
条件を含む能動的位置決定の前記要求を受信するステップと、
前記ＶＭＳＣが、該ＶＭＳＣに現在記憶されている前記移動局の位置が前記条件を満たすか否かを検査するステップと、
前記条件を満たすとき、現在記憶されている前記位置を報告するステップと、
前記条件を満たさないとき、前記移動局の位置を計測し報告するステップと、
を含むことを特徴とする請求項１に記載の方法。
【請求項３】
前記移動ネットワークは少なくとも１つの在圏移動サービス局（ＶＭＳＣ）に接続した少なくとも１つのホーム・ロケーション・レジスタ（ＨＬＲ）を備え、該ＨＬＲには前記移動局が登録されており、
条件を含む能動的位置決定の前記要求を受信するステップと、
前記ＨＬＲに現在記憶されている前記移動局の位置が前記条件を満たすか否かを検査するステップと、
前記条件を満たすとき、現在記憶されている前記位置を報告するステップと、
前記条件を満たさないとき、前記移動局が現在接続している前記ＶＭＳＣに前記要求を転送し該ＶＭＳＣから受信した位置を報告するステップと、
を含むことを特徴とする請求項１に記載の方法。
【請求項４】
前記要求は、モバイル・アプリケーション・パート−エニ・タイム・インタロゲーション（ＭＡＰ−ＡＴＩ）メッセージに含まれ、前記報告される位置はＭＡＰ−ＡＴＩ応答メッセージに含まれることを特徴とする請求項３に記載の方法。
【請求項５】
前記要求は、モバイル・アプリケーション・パート−プロバイド・サブスクライバ・インフォ（ＭＡＰ−ＰＳＩ）メッセージに含まれ、前記報告される位置はＭＡＰ−ＰＳＩ応答メッセージに含まれることを特徴とする請求項２に記載の方法。
【請求項６】
前記要求が値“ＬＯＷ”の粒度条件を含むとき、前記ＶＭＳＣは前記条件を無効にすることを特徴とする請求項２に記載の方法。
【請求項７】
移動局を登録するためのホーム・ロケーション・レジスタ（ＨＬＲ）であって、
モバイル・アプリケーション・パート（ＭＡＰ）メッセージのための送受信機と、
前記登録された移動局の該移動局の位置を含む加入情報のための記憶部と、
ＭＡＰメッセージを取り扱い、加入情報の前記記憶部を維持するための処理手段と、
を備え、
前記処理手段は、請求項３に記載の方法を実行するのに適していることを特徴とするホーム・ロケーション・レジスタ（ＨＬＲ）。
【請求項８】
移動ネットワークに接続した移動局を取り扱う在圏移動サービス局（ＶＭＳＣ）であって、
移動局の位置決定を制御する位置計測制御部と、
モバイル・アプリケーション・パート（ＭＡＰ）メッセージのための送受信機と、
接続された移動局の位置のための記憶部と、
ＭＡＰメッセージを取り扱い位置の前記記憶部を維持するための処理手段と、
を備え、
前記処理手段は、請求項２に記載の方法を実行するのに適していることを特徴とする在圏移動サービス局（ＶＭＳＣ）。
【請求項９】
請求項２又は３に記載の方法をコンピュータに実行させるためのコンピュータプログラム。
【発明の詳細な説明】
【技術分野】
【０００１】
本発明は移動体通信ネットワーク（ＰＬＭＮ：Public Land Mobile Network）に接続する移動端末の位置を取得するための方法とシステムに関するものである。
【背景技術】
【０００２】
３ＧＰＰリリースＲ９９以降、通信ネットワークにおけるサービス・アプリケーションは、移動体通信ネットワーク（ＰＬＭＮ）内のシステムに位置する移動端末からの能動的位置決定を要求することが出来る。能動的位置検索（ＡＬＲ：Active Location Retrieval）は、ＣＡＭＥＬフェーズ３において「現在位置検索（current location retrieval）」として規定されている。ＡＬＲの詳細は、非特許文献１及び非特許文献２に記載されている。ＡＬＲは、ＣＡＭＥＬフェーズ１で導入されたエニ・タイム・インタロゲーション（ＡＴＩ）を強化したものである。ＡＴＩは、ＰＬＭＮ内のエンティティ間の通信のためのモバイル・アプリケーション・パート（ＭＡＰ）プロトコルの一部である。ＭＡＰ＿ＡＴＩにより、エンティティは、ホーム・ロケーション・レジスタ（ＨＬＲ）から例えば加入者位置、加入者状態、移動端末登録番号などの移動加入者に特有の詳細を得ることが出来る。要求される情報のタイプは”Requestedlnfo”フィールドに示され、図６は非特許文献２に示されるＭＡＰ−ＡＴＩ要素の記載方式を示している。ＡＬＲは、オプション”currentLocation（現在位置）”を事実要求している。
【０００３】
図１にはメッセージおよび関連するエンティティのフローが示される。ＨＬＲは要求元からＭＡＰ＿ＡＴＩを受信し、更にそれをＡＬＲとみなすように現在位置の要求を検出する。ＡＬＲの対象の移動局（ＭＳ）は、ＩＭＳＩ又はＭＳＩＳＤＮの何れかにより識別される。ＨＬＲはホームＰＬＭＮ（Ｈ−ＰＬＭＮ）内に存在するのに対して、移動局は在圏ＭＳＣ（ＶＭＳＣ）によって取り扱われる在圏ＰＬＭＮ（Ｖ−ＰＬＭＮ）に接続される。Ｖ−ＰＬＭＮは、移動局が現在接続され登録されるＰＬＭＮである。移動局がＨ−ＰＬＭＮに存在するとき、当該移動局に対するＶ−ＰＬＭＮは当該移動局に対するＨ−ＰＬＭＮと一致する。要求元がＨ−ＰＬＭＮに存在する必要はない点に注意する。ＨＬＲは、ＶＭＳＣにＭＡＰ−ＰＳＩ（プロバイド・サブスクライバ・インフォ）を送信するＡＬＲとして動作する。ＭＡＰ−ＰＳＩは、ＭＡＰ−ＡＴＩと同じ”Requestedlnfo”フィールドを有し、ＨＬＲは、受信された”Requestedlnfo”フィールドをＭＡＰ−ＡＴＩからコピーする。ＶＭＳＣは、現在位置を得るために移動局のページングを行う。
【０００４】
ページングは、移動局の実際の位置を得る可能性の１つとして理解されることになっている。移動局は、自身の（内蔵の）ＧＰＳ、強化された三角測量（例えば、到来時間差ＤＴｏＡ）、無線方位探索システムなどにより計測された座標を報告することが出来る。一般に、移動局およびネットワーク関連した装置の組合せがＶＭＳＣにより制御される位置決めシステムとして指定される。全ての位置計測は本来的に、計測を実行および／または報告するために無線アクセスネットワーク（ＲＡＮ）リソースと共に無線エア容量を必要とする。移動局の位置決定の方法に関するより詳細な見解のために、非特許文献３を参照して関連した計測および算出がなされる。
【０００５】
ページング結果は、移動局によって直接ＶＭＳＣに報告された又はネットワークベースの機能により報告された計測位置を含んでいる。ＶＭＳＣは、この情報をＭＡＰ＿ＰＳＩ応答メッセージによりＨＬＲに転送し、ＨＬＲはＭＡＰ＿ＡＴＩ応答により要求元に転送する。ＡＬＲは、移動局の正確な位置情報を取得するために、このような方法で十分な可能性を電気通信サービスに提供する。しかしながら、位置情報を利用するサービスの増加により問題が発生する。いくつかの例として、
・位置ベース課金：接続する前に、サービスは両方の移動局の位置をチェックし、同一のエリアに存在する場合、固定電話ネットワーク上での市内通話と同等の低減された課金レートが使用される。
・ホームゾーン課金：居所周辺とされるエリアからの／への通話をするときの課金レートを低減する。
・最も近い仲間の探索：個人的な家族及び友人リストに最も近い移動局の関係者の位置決めを行う家族及び友人グループのサービスである。
・入退出ＳＭＳ：サービスは移動局の位置を監視し、移動局が所定のエリアに入る／から出るときＳＭＳを送出する。
【０００６】
他の態様として、サービスは連鎖され得、最も近い仲間の探索後に市内ベース課金及び前払いサービスが続くことを意味する。各サービスは、単独で位置要求を実行するかもしれない。
【０００７】
現在位置の要求の増大は、すでに不十分な無線エアスペクトル容量および無線アクセスネットワークリソースの発展を要求した。より多くのデータトラフィック、モバイル・インターネットおよびモバイルＴＶによるより多くのエアバンド幅の発展の要求に直面しているオペレータは、無線エアスペクトル容量および無線アクセスネットワークリソース上の位置要求の影響を低減するために代替の方法を探している。
【先行技術文献】
【非特許文献】
【０００８】
【非特許文献１】３ＧＰＰ  ＴＳ  ２３．０７８
【非特許文献２】３ＧＰＰ  ＴＳ  ２９．００２
【非特許文献３】３ＧＰＰ  ＴＳ  ２５．３０５
【発明の概要】
【０００９】
記載された発明は、移動ネットワークに接続した移動局の位置を取得する方法を提供し、要求元は、移動ネットワークに対する位置決定要求に、移動ネットワークに格納される移動局の位置がいつ利用可能か、又は、移動ネットワークにより位置がいつ能動的に決定されるかを指定する条件を含める。移動ネットワークは、要求元に移動局の位置を報告する。
【００１０】
更に詳細には、本発明は、移動ネットワーク内の在圏移動サービス局（ＶＭＳＣ）に接続した移動局の位置を当該ＶＭＳＣから取得する方法を開示し、当該ＶＭＳＣは、ＶＭＳＣに格納される移動局の位置がいつ利用可能か、又は、当該移動局が接続するＶＭＳＣからいつ取得可能かを指定する条件を含む接続済移動局の位置決定要求を受信する。ＶＭＳＣは、位置を報告する。
【００１１】
また、更に詳細には、本発明は、移動局の位置を当該移動局が登録されるホーム・ロケーション・レジスタ（ＨＬＲ）から取得する方法を開示し、当該ＨＬＲは、ＨＬＲに格納される移動局の位置がいつ利用可能か、又は、在圏移動サービス局（ＶＭＳＣ）により位置がいつ能動的に決定されるかを指定する条件を含む登録済移動局の位置決定要求を受信する。ＨＬＲは、位置を報告する。
【００１２】
実施例において、本発明は、移動局を登録するためのホーム・ロケーション・レジスタ（ＨＬＲ）であって、モバイル・アプリケーション・パート（ＭＡＰ）メッセージのための送受信機と、前記登録された移動局の該移動局の位置を含む加入情報のための記憶部と、ＭＡＰメッセージを取り扱い、加入情報の前記記憶部を維持するための処理手段と、を備えるＨＬＲを開示し、前記処理手段は、ＨＬＲに格納される移動局の位置がいつ利用可能か、又は、当該移動局が接続するＶＭＳＣからいつ取得可能かを指定する条件を含む位置決定要求を受信し、前記移動局の位置を報告するのに適している。
【００１３】
他の実施例では、本発明は、移動ネットワークに接続した移動局を取り扱う在圏移動サービス局（ＶＭＳＣ）であって、移動局の位置決定を制御する位置計測制御部と、モバイル・アプリケーション・パート（ＭＡＰ）メッセージのための送受信機と、接続された移動局の位置のための記憶部と、ＭＡＰメッセージを取り扱い位置の前記記憶部を維持するための処理手段と、を備えるＶＭＳＣを開示し、前記処理手段は、ＶＭＳＣに格納される移動局の位置がいつ利用可能か、又は、ＶＭＳＣにより位置がいつ能動的に決定されるかを指定する条件を含む位置決定要求を受信し、前記移動局の位置を報告するのに適している。
【００１４】
本発明の更なる実施例において、前記要求は、ＨＬＲへのモバイル・アプリケーション・パート−エニ・タイム・インタロゲーション（ＭＡＰ−ＡＴＩ）メッセージにより、又は、ＨＬＲへのＭＡＰ−ＡＴＩメッセージと在圏移動サービス局（ＶＭＳＣ）へのモバイル・アプリケーション・パート−プロバイド・サブスクライバ・インフォ（ＭＡＰ−ＰＳＩ）メッセージとの組み合わせにより実行される。前記条件は、時間閾値、速度閾値及び粒度の０又は１以上を含む存在条件の識別子を含む。
【図面の簡単な説明】
【００１５】
【図１】能動的位置要求の従来技術を示す図である。
【図２】ＨＬＲ実装のフローチャートである。
【図３】ＶＭＳＣ実装のフローチャートである。
【図４】本発明に係るＨＬＲの模式図である。
【図５】本発明に係るＶＭＳＣの模式図である。
【図６】標準のＭＡＰ＿ＡＴＩプロトコルを示す図である。
【図７】本発明に係るＭＡＰ＿ＡＴＩプロトコルへの追加を示す図である。
【発明を実施するための形態】
【００１６】
導入部で述べたように、電気通信アプリケーション及びサービスにおける位置情報の使用の増大により、無線スペクトル容量及び無線アクセスネットワークリソースの消費と共にＭＳＣの負荷が増大している。従って、移動ネットワークのオペレータは、ページングによるシステム性能への影響を低減する方法を継続的に探している。更に、大部分のページング要求は、移動ネットワーク自体の外部で発生する。本発明により提供される解決法は、既に正確な位置が利用可能であるとき、能動的なページング（位置計測）を行わないことにより、無線スペクトルの使用、無線アクセスネットワークの使用を低減し、ＭＳＣの負荷の負荷を低減する。この解決法の中心は、要求元サービスまたはアプリケーションが、どの精度で位置情報を必要とするかを指定できるということである。現在の（すでに利用可能な）位置情報が当該精度を満たすとき、能動的位置計測は実行されない代わりに、当該利用可能な位置情報が要求元に送信される。
【００１７】
移動局の位置の精度は、多数の態様を含むためいくらかの更なる精緻化が必要である。第１の精度態様は、移動局の位置情報を提供する際の粒度である。最高レベルかつ最も粗い粒度はＰＬＭＮレベルである。ＰＬＭＮレベルは、移動局がホーム・ネットワークに接続している又は特定の他のネットワークに接続している（移動局はローミング中）ことを指定する。ＰＬＭＮ内で、第２レベルの位置エリアが存在する。位置エリアはＶＭＳＣのカバー範囲に関連するが、ＶＭＳＣは多数の位置エリアを制御するかもしれない。より微細な粒度は、識別されたセルによって得られる。これは、移動端末が現在接続する基地局のカバー範囲である。三角測量又は移動端末が自身の又は取付けられたＧＰＳ受信機を有する場合の一方を実行することによって更に微細な粒度が取得可能である。
【００１８】
第２の精度態様は、位置情報の時間（age）である。位置情報は利用可能かもしれないが、この位置情報の正確さはそれがいつ取得されたかに依存する。位置情報が格納されるとき、報告された位置のタイムスタンプが併せて格納される。位置情報の時間は、セル・レベル又はより微細な位置データにのみ関連する。移動局が他の位置エリア（ＬＡ：Location Area）またはＰＬＭＮへ移動するとき、ＰＬＭＮおよび位置エリア情報は常に自動的に更新される。
【００１９】
第３精度態様は、移動端末の移動速度である。移動端末が静止している場合、報告された位置の時間はあまり関係がない。しかしながら、より高速移動するとき、位置情報はより高速に古くなる。
【００２０】
本発明により提供される解決法において、電気通信サービスまたはアプリケーションは、利用可能な位置情報を配信するため又は実際の位置計測の実行するため上述の態様の１つ又は組み合わせに基づく条件を指定することが出来る。
【００２１】
背景技術で述べたように、位置情報はＨＬＲ及びＶＭＳＣの両方で利用できる。これは、本発明の複数タイプの実装を考慮に入れることが出来る。第１の実施は、ＶＭＳＣでの実装である。ＶＭＳＣは、要求で示された条件に対して移動端末の利用可能な位置情報を検査し、能動的位置計測の実行を決める。これは、ＶＭＳＣ負荷の低減、無線アクセス・ネットワーク負荷の低減および電波スペクトル使用の低減を提供する。第２の実施は、ＨＬＲでの実装である。これは、ＶＭＳＣへの迂回又は能動的位置計測がなくＨＬＲ自身により位置が配信されるとき、要求元のサービスおよびアプリケーションに対する応答時間が高速になり有利である。第２の例では、ＶＭＳＣ自体での実装と同じ効果を有する。ＶＭＳＣ実装よりＶＭＳＣ負荷を低減し、無線スペクトルの使用を低減する。最後に、本発明は、ＶＭＳＣ及びＨＬＲの両方に実装され得、他のネットワークのＨＬＲが自身のＶＭＳＣに要求するとき（他のネットワーク加入者が自身のネットワークにローミング）、又は、他のネットワークサービス及びアプリケーションが自身のネットワークのＨＬＲに要求するとき（自身のネットワーク加入者が他のネットワークにローミング）に低減に有利である。自身のネットワークのＨＬＲ及びＶＭＳＣの両方での実装は、ＰＬＭＮおよびＬＡ（ＭＳＣアドレス）より微細な詳細を自動的に報告する義務がないため、ＶＭＳＣがＨＬＲより正確な位置情報を有するときに付加的な効果がある。
【００２２】
＜ＭＡＰ−ＡＴＩの変更＞
実際の実装とは独立に、サービス又はアプリケーションはＭＡＰ−ＡＴＩ要求内で条件を指定する必要がある。精度指定の要求を可能にするために、ＭＡＰ＿ＡＴＩメッセージの”Requestedlnfo”フィールドへの追加の可能性がある。”位置情報（location information）”（格納されている最後に報告された位置を提供）および”現在位置（current location）”（能動的位置計測がされ、最も実際の正確な位置を配信する）の次に、中間のオプション”accuracyCondition”が提供され、これにより要求元は「現在位置」を要求するとき条件を設定することが出来る。条件が満たされるとき、利用可能な（格納された）位置情報に対して条件を評価した結果として、記憶された位置が応答において報告される。図７を参照。”accuracyCondition”の実際の内容は最高で３個のパラメータであり、要求元サービスは１〜３個の任意の組み合わせを使用しうる。
【００２３】
第１のパラメータ”granularity”は、上述した粒度の態様に関連する。事実、ＰＬＭＮおよび位置エリアは”locationInformation”を使用することにより取得され得、この情報は常に利用可能な最新のものであるため”現在位置”を要求する理由はない。粒度パラメータにおいて、要求元サービスは、下記の表に示す１個を指定できる。格納された位置情報の粒度が要求された粒度より微細であるとき、当該格納された位置情報が報告される。
【００２４】
【表１】
0005271418.tif 000002
【００２５】
第２のパラメータは、”ageThreshold”である。このパラメータは、利用可能な位置情報のタイムスタンプに関連する。要求元サービスは、０〜８４６００秒（最高２４時間）の値を設定することができる。設定値０は、能動的位置計測を強制する。他の任意の値は、タイムスタンプと現在時刻との差と比較される。差（格納された位置情報の時間）が提供された時間閾値未満の場合、格納された位置情報が報告される。第３パラメータは、”speedThreshold”である。このパラメータは、他のパラメータの限定された適用可能性に使用することができる。要求元サービスは、０〜２００メートル／秒の値を設定することができる。直前に報告された格納されている端末の移動が、速度閾値より低いとき、格納された位置情報が報告される。
【００２６】
複数のパラメータが使用される場合、複数の条件の結果の”論理積がなされ（and-ed）”、最終的な決定がなされる。実際の実装が上述したパラメータの１又は２個に限定されうることは明白である。最も単純な実装では、”ageThreshold”パラメータのみを使用する。一方で、当業者は、同様に他の条件を追加しうる。
【００２７】
＜ＨＬＲ実装＞
ＨＬＲでの実装では、入来するＭＡＰ−ＡＴＩメッセージを取り扱うルーチンの追加を含む。当該追加は、図２で示される。標準では、ＨＬＲは、順次要求識別子の存在を検査し、存在するとき、要求された情報をＭＡＰ−ＡＴＩ応答に組み込み要求元に返信する。ＭＡＰ−ＡＴＩ要求は、さまざまな情報要求を含み得る。本発明では、位置に関連した情報要求のみが議論される。
【００２８】
また、従来技術では、ＨＬＲは”locationInformation”の存在を検査する。存在する場合、ＨＬＲは”currentLocation”が存在するかどうかを検査する。存在しないとき、利用可能な位置情報はＭＡＰ−ＡＴＩ応答に追加される。存在するとき、ＭＡＰ−ＰＳＩは組み立てられ適切なＶＭＳＣに送信される。ＨＬＲは、ＶＭＳＣからＭＡＰ−ＰＳＩ応答を受信するとき、情報は格納されローカル情報を更新する。そして、ＨＬＲは、利用可能な（いま更新された）位置情報をＭＡＰ−ＡＴＩ応答に追加する。これは図２のローマ数字Ｉで示される。
【００２９】
本発明による軽微な追加（ローマ数字ＩＩで示される）では、ＨＬＲは、”locationInformation”および”currentLocation”の両方が存在するとき追加の検査を実行する。ＨＬＲは、”accuracyCondition”が存在するかどうかを検査する。存在しないとき、ＨＬＲは以前の通りに動作する。
【００３０】
存在する場合、ＨＬＲは格納された位置情報に対して提供された条件パラメータを分析し始める。
【００３１】
”ageThreshold”パラメータが存在するとき、ＨＬＲは、格納された位置情報のタイムスタンプからの経過時間を”ageThreshold”パラメータの値と比較する。値を上回るとき、ＨＬＲは以前の通りにＭＡＰ−ＰＳＩの組み立てを続ける。他の任意のパラメータは検査されない。”ageThreshold”が存在しない、又は、値を上回らないとき、ＨＬＲは、”speedThreshold”パラメータの存在の検査を続ける。
【００３２】
”speedThreshold”パラメータが存在するとき、速度（移動局の速度）がＶＭＳＣにより報告されるか否かの更なる検査がなされる。速度はオプションであり、すべてのＶＭＳＣがこれを報告するというわけではない。報告される場合、報告された速度が”speedThreshold”パラメータの値と比較される。値を上回るとき、ＨＬＲは以前の通りＭＡＰ−ＰＳＩの組み立てを続け、更なるパラメータの検査は行わない。”speedThreshold”パラメータが存在しない、又は、”speedThreshold”パラメータの値を上回らないとき、ＨＬＲは、”granularity”の存在の検査を続ける。
【００３３】
”granularity”パラメータが存在するとき、ＨＬＲは、報告された計測タイプを要求された”granularity”と比較する。要求された”granularity”が報告された計測タイプより微細な場合（例えば、高粒度を意味するＧＰＳが要求され、低粒度を意味するセルＩＤが報告されたとき）、ＨＬＲは以前の通りにＭＡＰ−ＰＳＩの組み立てを続ける。報告された粒度がより微細なとき、ＨＬＲは”granularity”がなかったものとして続ける。
【００３４】
明らかかもしれないが、”accuracyCondition”が存在するがパラメータは提供されないとき、格納された位置情報によって応答し、対して、”accuracyCondition”が省略されるとき、能動的位置取得を行う。
【００３５】
更に図４を参照すると、本発明のＨＬＲが示される。ＨＬＲ１は、当該ＨＬＲにより登録される移動局の加入詳細が格納される加入格納部１１を備える。加入には、最後に報告された移動局の位置が併せて格納される。更にＨＬＲは、当該ＨＬＲがＳＳ７ネットワークを介したＭＡＰメッセージの送受信を可能にするＭＡＰ送受信機１３を備える。ＨＬＲの中心は、プロセッサ１２である。プロセッサは、入来メッセージにより駆動される。プロセッサの標準機能は、受信されたメッセージの取り扱いの中で、精度条件を含むメッセージを取り扱うための特別なルーチンに適応する。
【００３６】
＜ＶＭＳＣ実装＞
ＶＭＳＣ実装は、ＨＬＲ実装に対応するが同一ではない。ＶＭＳＣ実装は、ＭＡＰ−ＰＳＩメッセージを取り扱うルーチンの追加である。当該追加は、図３で示される。ＭＡＰ−ＡＴＩと同様に、ＭＡＰ−ＰＳＩは、いくつかの情報要求を含み得る。本発明のＨＬＲに関しては、位置情報の要求のみが考慮される。ＶＭＳＣは、要求元へのＭＡＰ−ＰＳＩ応答の内で要求された情報を報告する。
【００３７】
従来技術（図３のローマ数字Ｉにより示される）では、ＶＭＳＣは”locationInformation”の存在を検査する。存在するとき、ＶＭＳＣは”currentLocation”が存在するかどうかを検査する。存在しないとき、ＶＭＳＣに格納された位置情報がＭＡＰ−ＰＳＩ応答に追加される。両者とも存在するとき、移動局の能動的位置計測が実行される。取得された位置情報は、ＶＭＳＣ内にローカルに格納される。ＶＭＳＣは、格納された位置情報をＭＡＰ−ＰＳＩ応答にコピーする。応答は、要求元へ送信される。
【００３８】
”locationInformation”及び”currentLocation”の両方が存在するとき、本発明（ローマ数字ＩＩにより示される）による追加により、ＶＭＳＣは追加の検査を実行する。ＶＭＳＣは、”accuracyCondition”が存在するかどうかを検査する。存在しないとき、ＶＭＳＣは以前の通りに動作する。存在するとき、ＶＭＳＣは格納された位置情報に対して提供された条件パラメータを分析し始める。
【００３９】
”granularity”パラメータが存在するとき、パラメータの値は格納された位置情報の計測タイプと比較される。ＶＭＳＣは、
・高い精度が要求され、移動局がＧＰＳ能力を有し、格納された位置情報は低いか中間の精度である
・中間の精度が要求され、記憶位置の計測タイプは低である
の場合、更なる検査を行うことなく能動的位置計測を実行する、
【００４０】
低い精度が要求される場合、ＶＭＳＣは直接、格納された位置情報に基づいて応答の組み立てを続ける。それは、セルＩＤがＶＭＳＣにおいて連続的に更新され、能動的計測はそれを強化しないからである。他の全てのケースにおいて、ＶＭＳＣは、”ageThreshold”の存在の検査を続ける。
【００４１】
”ageThreshold”パラメータが存在するとき、ＶＭＳＣは、利用可能な情報のタイムスタンプからの経過時間を”ageThreshold”パラメータの値と比較する。値を上回るとき、ＶＭＳＣは能動的位置計測の実行を続ける。他の任意のパラメータは検査されない。”ageThreshold”が存在しない、又は、値を上回らないとき、ＶＭＳＣは、”speedThreshold”パラメータの存在の検査を続ける。
【００４２】
”speedThreshold”パラメータが存在するとき、速度（移動局の速度）がＶＭＳＣにより算出されるか否かの更なる検査がなされる。速度はオプションであり、すべてのＶＭＳＣがこれを算出するというわけではない。算出される場合、報告された速度が”speedThreshold”パラメータの値と比較される。値を上回るとき、ＶＭＳＣは能動的位置計測の実行を続ける。”speedThreshold”パラメータが存在しない、又は、速度が算出されない、又は、”speedThreshold”パラメータの値を上回らないとき、ＶＭＳＣは、以前の通りＭＡＰ−ＰＳＩの組み立てを続ける。
【００４３】
移動局の能動的位置計測を実行するとき、方法がＶＭＳＣおよび移動局でサポートされる場合に、測定の方法は”granularity”の値によって制御される。ＨＬＲのように、ＶＭＳＣは、再利用の可能性ため最新の計測値を格納する。
【００４４】
更に図５には、本発明のＶＭＳＣ２が示される。プロセッサ２１、位置格納部２２およびＭＡＰ送受信機２３は、前述したＨＬＲ相当の機能を有する。違いは、ＨＬＲが加入情報を含み登録される移動端末に関連したメッセージを取り扱うのに対し、ＶＭＳＣは無線ネットワークを介して当該ＶＭＳＣに接続している移動局に対して行うことである。本発明のＶＭＳＣは、ＨＬＲに対し１つの追加機能である位置計測制御部２４を有する。ＶＭＳＣのこの機能は必要な計算を実行すると共に、能動的位置決定を制御する。プロセッサは、位置情報を返す位置計測制御部に能動的位置決定を指示する。
【００４５】
当業者にとって、記載された本発明から、音声、ビデオ及びデータのような規則的通信に必要とされる無線ネットワーク容量を危険にさらすことなく、位置依存のサービス（例えば、位置ベース課金、ホームゾーン課金、最も近い仲間の探索、入出場メッセージ、人及び他の位置決め）の多くを電気通信ネットワーク内に配備することが可能であることは明白である。
【図１】
0005271418.tif 000003
【図２】
0005271418.tif 000004
【図３】
0005271418.tif 000005
【図４】
0005271418.tif 000006
【図５】
0005271418.tif 000007
【図６】
0005271418.tif 000008
【図７】
0005271418.tif 000009